(57)【要約】  コンピュータールーム空気ハンドラー（ＣＲＡＨ）ユニットが、冷却空気を調整し、第１の区域に供給する。第２の区域が、第１の区域からの還気を回収し、ただし、複数のサーバーが、第１の区域と第２の区域の間に、それらのサーバーによって熱せられた空気が第２の区域に追い込まれるように位置付けられる。第１の区域は、サーバーを収容する１つまたは複数のラック、および各サーバーの間の領域内の断熱材によって第２の区域から区切られて、第１の区域内の冷却空気が第２の区域内の還気と混合するのが防止される。サーバー設備の残りの領域を表す第３の区域が、事前定義された温度に保たれ、ただし、その温度は、第１の区域の温度より高く、第２の区域の温度より低い。
2016538524.tif 000002
【特許請求の範囲】
【請求項１】
サーバー設備において冷却システムを管理する方法であって、前記方法は、
コンピュータールーム空気ハンドラー（ＣＲＡＨ: Computer Room Air Handler）ユニットから冷却空気を第１の区域(zone)に供給するステップと、
第２の区域内で前記第１の区域からの還気(return air)を回収するステップとを備え、複数のサーバーが、前記第１の区域と前記第２の区域の間に、前記サーバーによって熱せられた空気が前記第２の区域に追い込まれて(pushed into)、前記第１の区域が、前記サーバー設備の残りの部分から実質的に断熱されるように位置付けられる(positioned)方法。
【請求項２】
前記複数のサーバーは、前記第１の区域と前記第２の区域の間の境界(boundary)を形成する１つまたは複数のラック内に位置付けられる請求項１に記載の方法。
【請求項３】
前記第１の区域は、前記複数のサーバーのフロントエンドと接しており、前記第２の区域は、前記複数のサーバーのバックエンドと接している請求項２に記載の方法。
【請求項４】
前記複数のサーバーに、前記第１の区域に供給された前記冷却空気を、前記複数のサーバーの前記フロントエンドにおける吸入パイプを介して取り込んで、前記冷却空気を前記複数のサーバーの間で循環させることを行わせるステップをさらに備える請求項３に記載の方法。
【請求項５】
前記第１の区域の天井を断熱材で遮断するステップをさらに備える方法であって、
前記第１の区域は、サーバーの１つまたは複数のラックが向かい合う(opposing)壁を形成して実質的に回廊(corridor)の形状である請求項１に記載の方法。
【請求項６】
前記第１の区域と前記第２の区域の境界における１つまたは複数のラック内の各サーバーの間の領域を断熱材で遮断して、前記冷却空気と前記還気が混合するのを防止するステップをさらに備える請求項５に記載の方法。
【請求項７】
温度監視システムを使用するステップをさらに備える方法であって、
前記温度監視システムは、各区域内の空気温度、および外部環境における空気温度を測定する請求項１に記載の方法。
【請求項８】
前記外部環境における空気が、前記第２の区域内の還気より低い空気温度であるという判定に応答して、
前記第２の区域内の前記還気を前記外部環境に追い出すステップと、
前記外部環境からの前記空気を取り込むステップと、
前記外部環境からの前記空気を前記ＣＲＡＨユニットに供給するステップとをさらに備える請求項７に記載の方法。
【請求項９】
前記外部環境における空気が、前記第２の区域内の前記還気より高い空気温度であるという判定に応答して、前記還気を前記ＣＲＡＨユニットに供給するステップをさらに備える請求項７に記載の方法。
【請求項１０】
冷却コイルのうちの１つまたは複数、および冷水を使用して前記冷却空気を調整するステップをさらに備える請求項１に記載の方法。
【請求項１１】
サーバー設備のための温度管理システムであって、前記システムは、
第１の区域に冷却空気を供給するように構成されたコンピュータールーム空気ハンドラー（ＣＲＡＨ）ユニットを備え、
前記第１の区域は、複数のサーバーを収容する１つまたは複数のラック、および各サーバーの間の領域内の断熱材によって第２の区域から区切られ、
前記第１の区域は、前記サーバー設備の残りの部分から実質的に断熱され、
前記第２の区域は、前記第１の区域から還気を回収するように構成され、前記複数のサーバーは、前記第１の区域と前記第２の区域の間に、前記サーバーによって熱せられた空気が前記第２の区域に追い込まれるように位置付けられるシステム。
【請求項１２】
前記断熱材は、地元の規制、州の規制、および連邦政府の規制、ならびに業界標準のうちの１つまたは複数に基づいて選択される請求項１１に記載のシステム。
【請求項１３】
前記断熱材は、火災抑制能力およびセキュリティ能力に基づいてさらに選択される請求項１２に記載のシステム。
【請求項１４】
前記温度管理システムは、温度監視システムをさらに備え、
前記温度監視システムは、
各区域内の空気温度、および外部環境における空気温度を測定し、
前記外部環境における前記空気温度を前記第２の区域内の前記還気の前記空気温度と比較し、
前記比較の結果に基づいて、前記外部環境からの空気と前記還気のうちのいずれかを前記ＣＲＡＨユニットに供給するように構成される請求項１１に記載のシステム。
【請求項１５】
サーバー設備における冷却システムを管理する方法であって、前記方法は、
コンピュータールーム空気ハンドラー（ＣＲＡＨ）ユニットから冷却空気を第１の区域に供給するステップであって、前記第１の区域は、前記サーバー設備の残りの部分から実質的に断熱されるステップと、
第２の区域内で前記第１の区域からの還気を回収するステップであって、複数のサーバーが、前記第１の区域と前記第２の区域の間に、前記サーバーによって熱せられた空気が前記第２の区域に追い込まれるように位置付けられるステップと、
第３の区域内で事前定義された空気温度を保つステップであって、前記第３の区域の前記事前定義された空気温度は、前記第１の区域の空気温度より高く、前記第２の区域の空気温度より低いステップとを備える方法。
【発明の詳細な説明】
【技術分野】
【０００１】
本願発明の一実施例は、例えば、サーバー設備のための冷却システム管理に関する。
【背景技術】
【０００２】
[0001]サーバー設備は、一次サーバーとバックアップサーバーとから成るコンピューターシステムの集まりを含み得る。また、サーバー設備は、そのサーバー設備のシステム内に収容されたデータを保護する環境コントロールおよびセキュリティデバイスを含むことも可能である。サーバーは、一般に、ラック内に格納される。１つのラック内に、多数のサーバーが存在することが可能であり、サーバー設備は、大量のラックを有することが可能である。
【０００３】
[0002]各サーバーは、サーバーが消費する電力の量に基づく特定の熱出力を有し、したがって、サーバー設備内の冷却システムが、これらのサーバーのメンテナンスおよび機能に不可欠であり得る。従来の冷却アプローチの一般的な特徴は、コンピュータールーム空調（ＣＲＡＣ）ユニットが、ラックの外周囲に配置される周囲冷却、および冷気が、床下のプレナムを通してラックに送られる高床を含み得る。従来の冷却アプローチのシステムは、サーバーから生じる熱気が、ラックに送られた冷気と混合することにより、相当な量のエネルギーを浪費して、その混合を補償するように空気をより低い温度に冷却するのにＣＲＡＣユニットにより多くのエネルギーを消費させる可能性がある。
【０００４】
[0003]より多くの企業が、企業のサーバー設備内で実用的なサーバーおよびシャープエッジサーバーを使用しはじめるにつれ、１つのサーバー当たりの消費される電力の量の増加が、サーバー設備内の熱出力の全体的な増加をもたらし得る。エネルギー費用がより高くなり、エネルギー消費率が増加するにつれ、より効率的な冷却システムがサーバー設備内で実施される必要があり得る。
【発明の概要】
【発明が解決しようとする課題】
【０００５】
本願発明の一実施例は、例えば、サーバー設備のための冷却システム管理に関する。
【課題を解決するための手段】
【０００６】
[0004]
この概要は、詳細な説明において後段でさらに説明される選定された概念を、より簡略化された形態で概説するように与えられる。この概要は、主張される主題の重要な特徴または不可欠な特徴を排他的に特定することは意図しておらず、主張される主題の範囲を決定する助けとして意図されているわけでもない。
【０００７】
[0005]実施形態は、サーバー設備における冷却システムを管理する方法および温度管理システムを対象とする。いくつかの実施形態によれば、コンピュータールーム空気ハンドラー（ＣＲＡＨ）ユニットが、第１の区域に対する冷却空気を調整し、供給することが可能である。第２の区域が、第１の区域からの還気を集めることが可能であり、ただし、サーバーによって熱せられた空気が第２の区域に追い込まれて空気回収を可能にするように、複数のサーバーが第１の区域と第２の区域の間に位置付けられることが可能である。第１の区域は、サーバーを収容する１つまたは複数のラック、および各サーバーの間の領域内の断熱材によって第２の区域から区切られて、第１の区域内の冷却空気が第２の区域内の還気と混合するのが防止されることが可能である。他の実施形態によれば、サーバー設備の残りの領域を表す第３の区域が、事前定義された温度に保たれることが可能であり、ただし、その温度は、第１の区域の温度より高く、第２の区域の温度より低いことが可能である。
【０００８】
[0006]これら、およびその他の特徴および利点は、後段の詳細な説明を読むこと、および関連する図面を検討することにより明白となろう。前段の一般的な説明、および後段の詳細な説明は、例示的であり、主張される態様を限定するものではないことを理解されたい。
【図面の簡単な説明】
【０００９】
【図１】[0007]実施形態が実施され得る、サーバー設備における例示的な温度管理システムを示す概念図である。
【図２】[0008]サーバー設備における例示的な温度管理システムの第１の区域および第２の区域をより詳細に示す図である。
【図３】[0009]サーバー設備における温度管理システムのための代替の実施形態を示す概念図である。
【図４】[0010]サーバー設備における冷却システムを管理するシステムを示す図である。
【図５】[0011]実施形態が実施され得る、例示的なコンピューティング動作環境を示すブロック図である。
【図６】[0012]実施形態による、サーバー設備における冷却システムを管理する方法を示す論理フローチャートである。
【発明を実施するための形態】
【００１０】
[0013]前段で簡単に説明したとおり、コンピュータールーム空気ハンドラー（ＣＲＡＨ）ユニットが、第１の区域に対する冷却空気を調整し、供給することが可能である。第２の区域が、第１の区域からの還気を回収することが可能であり、ただし、サーバーによって熱せられた空気が第２の区域に追い込まれて空気回収を可能にするように、複数のサーバーが第１の区域と第２の区域の間に位置付けられることが可能である。第１の区域は、サーバーを収容する１つまたは複数のラック、および各サーバーの間の領域内の断熱材によって第２の区域から区切られて、第１の区域内の冷却空気が第２の区域内の還気と混合するのが防止されることが可能である。
【００１１】
[0014]後段の詳細な説明において、本明細書の一部分を形成し、例として、特定の実施形態または実施例が示される添付の図面が参照される。本開示の趣旨または範囲を逸脱することなく、これらの態様が組み合わされることが可能であり、他の態様が利用されることが可能であり、構造上の変更が行われることが可能である。したがって、後段の詳細な説明は、限定する意味で解釈されるべきではなく、本発明の範囲は、添付の特許請求の範囲、およびそれらの均等物によって規定される。
【００１２】
[0015]いくつかの実施形態が、パーソナルコンピューター上のオペレーティングシステム上で実行されるアプリケーションプログラムと連携して実行されるプログラムモジュールの一般的な脈絡において説明されるが、態様は、他のプログラムモジュールと組み合わせて実施されることも可能であることが当業者には認識されよう。
【００１３】
[0016]一般に、プログラムモジュールには、特定のタスクを実行する、または特定の抽象データ型を実装するルーチン、プログラム、構成要素、データ構造、およびその他のタイプの構造が含まれる。さらに、実施形態は、ハンドヘルドデバイス、マイクロプロセッサシステム、マイクロプロセッサベースの家庭用電子機器もしくはプログラマブル家庭用電子機器、ミニコンピューター、メインフレームコンピューター、および同等のコンピューティングデバイスを含む他のコンピューターシステム構成で実施されてもよいことが当業者には理解されよう。また、実施形態は、通信ネットワークを介して結び付けられた遠隔処理デバイスによってタスクが実行される分散コンピューティング環境において実施されることも可能である。分散コンピューティング環境において、プログラムモジュールは、ローカルメモリストレージデバイスと遠隔メモリストレージデバイスの両方の中に配置され得る。
【００１４】
[0017]いくつかの実施形態は、コンピューター実施プロセス（方法）として、コンピューティングシステムとして、またはコンピュータープログラム製品もしくはコンピューター可読媒体などの製造品として実施され得る。コンピュータープログラム製品は、コンピューターシステムによって可読であるとともに、コンピューターまたはコンピューティングシステムに例示的なプロセスを実行させるための命令を備えるコンピュータープログラムを符号化するコンピューター記憶媒体であることが可能である。コンピューター可読記憶媒体は、コンピューター可読メモリデバイスである。コンピューター可読記憶媒体は、例えば、揮発性コンピューターメモリ、不揮発性メモリ、ハードドライブ、フラッシュドライブ、フロッピー（登録商標）ディスク、またはコンパクトディスク、および同等のハードウェア媒体のうちの１つまたは複数を介して実施され得る。
【００１５】
[0018]本明細書全体にわたって、「プラットフォーム」という用語は、空冷管理システムを運用するためのソフトウェア構成要素とハードウェア構成要素の組合せであり得る。プラットフォームの例には、複数のサーバーにわたって実行されるホストされるサービス、単一のコンピューティングデバイス上で実行されるアプリケーション、および同等のシステムが含まれるが、以上には限定されない。「サーバー」という用語は、一般に、通常、ネットワーク化された環境において１つまたは複数のソフトウェアプログラムを実行するコンピューティングデバイスを指す。しかし、サーバーは、ネットワーク上のサーバーと見なされる、１つまたは複数のコンピューティングデバイス上で実行される仮想サーバー（ソフトウェアプログラム）として実装されることも可能である。これらの技術および例示的な動作に関するさらなる詳細は、後段で与えられる。
【００１６】
[0019]図１は、実施形態が実施され得る、サーバー設備における例示的な温度管理システムを示す概念図を含む。図１に示されるとおり、このシステムは、第１の区域１０２と、第２の区域１０８と、第３の区域１１４と、コンピュータールーム空気ハンドラー（ＣＲＡＨ）ユニット１１０とを含み得る。複数のサーバー１０６が、第１の区域１０２と第２の区域１０８の間の境界１０５を形成する１つまたは複数のラック１０４内に位置付けられることが可能である。第１の区域は、複数のサーバーのフロントエンドと接していることが可能であり、第２の区域は、それらのサーバーのバックエンドと接していることが可能である。
【００１７】
[0020]ＣＲＡＨは、第１の区域に冷却空気１０３を供給するように構成されることが可能であり、ＣＲＡＨユニット１１０が第１の区域１０２に冷却空気１０３を供給するにつれ、サーバー１０６が、それらのサーバーのフロントエンドを介して冷却空気１０３を取り込み、サーバー内でその冷却空気を循環させることが可能である。その冷却空気がサーバー内で循環するにつれ、その空気は、熱せられて、それらのサーバーのバックエンドを介して第２の区域１０８に追い込まれることが可能であり、ただし、第２の区域１０８は、その熱せられた空気、すなわち、還気１０７を回収することが可能である。第１の区域１０２は、１つまたは複数のラックが向かい合う壁を形成して実質的に回廊の形状であることが可能であり、断熱材で遮断されて、第１の区域１０２内の冷却空気１０３が第２の区１０８域内の還気１０７と混合するのが防止されることが可能である。第１の区域１０２の天井、および第１の区域１０２と第２の区域１０８の境界１０５における１つまたは複数のラック１０４内の各サーバー間の領域が、断熱材で遮断されることが可能である。
【００１８】
[0021]管理コントローラーに結合された温度監視システムは、各区域および外部環境の空気温度を測定することが可能である。温度監視システムは、第２の区域１０８内の還気１０７の温度を外部環境における空気の温度と比較することが可能である。外部環境における空気が、第２の区域１０８内の還気１０７より温度が高い場合、管理コントローラーは、第２の区域１０８内の還気１０７をＣＲＡＨユニット１１０に供給するようスイッチ１１６に命令を与えることが可能である。代替の実施形態において、外部環境における空気が、第２の区域内の還気より温度が低い場合、管理コントローラーは、還気を外部環境に追い出し、外部環境から空気を取り込んでＣＲＡＨユニットに供給するようスイッチに命令を与えることが可能である。
【００１９】
[0022]次に、ＣＲＡＨユニット１１０が、冷却コイルのうちの１つまたは複数、および冷水を使用して、第１の区域１０２に供給されるべき冷却空気１０３を調整することが可能である。第３の区域１１４は、サーバー設備の残りの領域を表すことが可能である。第３の区域１１４は、事前定義された温度に保たれることが可能であり、ただし、その温度は、第１の区域１０２の温度より高く、第２の区域１０８の温度より低いことが可能である。
【００２０】
[0023]第３の区域１１４は、火災抑制システム、セキュリティシステム、および／または監視システムを含み得る。特に、相当な数のラックを有するサーバー設備におけるサーバーによって消費される大量の電力は、かなりの熱出力のために火災の深刻なリスクをもたらし得る。冷却システムが、火災のリスクを低減する予防法の役割をし得るが、火災抑制システムが不可欠であり得る。火災抑制システムは、検出のための１つまたは複数の熱センサーおよび／または配線、ならびに火災を消火する、スプリンクラーシステムなどの粉末および／または液体薬剤の組合せを含み得る。
【００２１】
[0024]サーバー設備に関連するさらなるリスクが、セキュリティのリスクである。サーバーのうちのいくつか、またはすべてが、取り替えの効かない可能性があり、許可されていない人々に開示された場合、支障をきたす可能性がある企業データ、財務データ、または医療データなどの機密のデータまたは慎重な扱いを要するデータを記憶する可能性がある。カメラおよびアラームなどのセキュリティシステムが、そのデータの封じ込めを確実にするように実装され得る。カメラは、火災抑制システムの動作不良が生じた場合、火災の手動検出にさらに有用であり得る。また、前述した温度監視システムなどの監視システムが、第３の区域１１４内に存在することも可能である。
【００２２】
[0025]図１の例示的なシステムは、特定の構成要素、構成要素の特定のタスク、および構成要素の特定の配置を用いて説明されてきた。実施形態は、この例示的な構成によるシステムに限定されない。サーバー設備における温度管理システムは、より少ない構成要素、またはさらなる構成要素を使用し、他のタスクを実行する構成において実施されてもよい。さらに、他の設備における温度管理システムが、本明細書で説明される原理を使用して類似した様態で実施されてもよい。
【００２３】
[0026]図２は、サーバー設備における例示的な温度管理システムの第１の区域および第２の区域をより詳細に示す。図１で説明したとおり、温度管理システムは、第１の区域２０２と第２の区域２０８の間の境界２０５を形成する１つまたは複数のラック２０４内に位置付けられた複数のサーバー２０６を含み得る。第１の区域２０２は、それらのサーバーのフロントエンドと接していることが可能であり、第２の区域２０８は、それらのサーバーのバックエンドと接していることが可能である。また、このシステムは、事前定義された温度に保たれ得る第３の区域２１４を含むことも可能であり、ただし、その温度は、第１の区域２０２の温度より高く、第２の区域２０８の温度より低い。
【００２４】
[0027]冷却空気２０３が第１の区域２０２に供給されるにつれ、サーバー２０６が、それらのサーバーのフロントエンドにおける第１のファン２１０を介して冷却空気１０３を取り込み、サーバー内でその冷却空気を循環させることが可能である。その冷却空気がサーバー内で循環するにつれ、その空気は、それらのサーバーの熱出力の結果、熱せられる可能性がある。サーバー２０６が、その熱せられた空気を、それらのサーバーのバックエンドにおける第２のファン２１２を介して第２の区域２０８に追い込むことが可能であり、ただし、第２の区域２０８は、その熱せられた空気、すなわち、還気２０７を回収することが可能である。
【００２５】
[0028]前述したとおり、第１の区域２０２は、１つまたは複数のラックが向かい合う壁を形成して実質的に回廊の形状であることが可能であり、断熱材で遮断されて、第１の区域２０２内の冷却空気２０３が第２の区２０８域内の還気２０７と混合するのが防止されることが可能である。第１の区域２０２の天井、および第１の区域２０２と第２の区域２０８の境界２０５における１つまたは複数のラック２０４内の各サーバー間の領域が、断熱材で遮断されることが可能である。それらの断熱材は、地元の規制、州の規制、および連邦政府の規制、ならびに業界標準に基づいて選択され得る。例えば、規制および業界標準が、安全性および効率を確実にするように特定の特性を有する材料、または特定の品質の材料の使用を義務付けることが可能である。それらの断熱材は、火災抑制能力およびセキュリティ能力に基づいてさらに選択されてもよい。例えば、第１の区域を遮断するのに透明な材料が使用されて、セキュリティシステムが、侵入に関してサーバーを監視すること、または火災を容易に検出することを可能にすることが可能である。別の例において、第１の区域の構造フレームにおいてアルミが、この金属の火災抑制能力のために使用されることが可能である。
【００２６】
[0029]第１の区域２０２を遮断することが、サーバー設備のエネルギー消費率を低減することが可能である。冷却空気２０３が、還気２０７および第３の区域内の空気などの、より高い温度の空気と混合するのを防止することによって、コンピュータールーム空気ハンドラー（ＣＲＡＨ）ユニットは、第１の区域２０２に供給すべき適切な温度に冷却空気を調整するエネルギーの消費が少なくなることが可能である。冷却空気の温度は、約１０℃（華氏５０度）から約２３．９℃（華氏７５度）の範囲内にあることが可能である。
【００２７】
[0030]例えば、現行のソリューションを使用して、ＣＲＡＨユニットは、第１の区域２０２と同様の冷却領域に約２０℃（華氏６８度）の空気を供給して、その空気が、その冷却領域内の設備の他の領域からのより高い温度の空気と混合するにつれて空気温度が上昇するのを補償することが可能である。これとは対照的に、提案されるソリューションを使用して、ＣＲＡＨユニットは、冷却空気が、第２の区域２０８内の還気２０７および第３の区域２１４内の空気などの、より高い温度の空気と混合することを補償する必要がないので、第１の区域２０２に２５．６℃（華氏７８度）でしかない温度の冷却空気２０３を供給することが可能である。５．６度（華氏における１０度）の温度差は、エネルギー消費量の大幅な低減に相当することが可能であり、その結果、エネルギー費用の大幅な低減に相当することが可能である。
【００２８】
[0031]図３を参照すると、概念図３００が、サーバー設備における温度管理システムに関する代替の実施形態を示す。管理コントローラーに結合された温度監視システムが、各区域内の空気温度、および外部環境３１２における空気温度を測定することが可能である。温度監視システムは、外部環境３１２における空気温度を第２の区域３０８内の還気３０７の温度と比較することが可能である。これに応答して、管理コントローラーが、スイッチ３０２と通信して、その空気温度比較に依存する命令を与えることが可能である。
【００２９】
[0032]第１のシナリオにおいて、外部環境３１２における空気は、第２の区域１０８内の還気１０７よりも温度が低いことが可能である。これに応答して、管理コントローラーが、排出パイプ３０４を介して外部環境３１２に還気３０７を追い出し、吸入パイプ３０６を介して外部環境３１２から空気３１１を取り込む命令をスイッチ３０２に与えることが可能である。次に、外部環境３１２からの空気３１１は、ＣＲＡＨユニット１１０に供給されることが可能である。
【００３０】
[0033]第２のシナリオにおいて、外部環境３１２における空気が、第２の区域３０８内の還気３０７よりも温度が高いことが可能である。管理コントローラーは、第２の区域３０８内の還気３０７をＣＲＡＨユニット３１０に供給する命令をスイッチ３０２に与えることが可能である。
【００３１】
[0034]図４は、サーバー設備における冷却システムを管理するシステムを示す。システム４００は、管理コントローラー４１０と、第１の区域４１２と、第２の区域４１４と、コンピュータールーム空気ハンドラー（ＣＲＡＨ）ユニット４１６と、外部環境４１８と、第３の区域４２０とを含み得る。管理コントローラー４１０は、人間の制御によって操作されることが可能であり、またはネットワーク４０４を介してリモコン４０２によって指示されてもよい。冷却システムを管理する様々なプロセスを制御することに関連するデータが、データストア４３０に記憶されること、および／またはデータストア４３０から受け取られることが可能である。
【００３２】
[0035]サーバーが、第１の区域４１２と第２の区域４１４の間の境界を形成する１つまたは複数のラック内に位置付けられることが可能である。第１の区域４１２は、それらのサーバーのフロントエンドと接していて、第１の区域４１２に冷却空気が供給されるにつれ、それらのサーバーが、サーバーのフロントエンドにおける第１のファンを介して冷却空気を取り込むことができるようにすることが可能である。それらのサーバーは、その冷却空気をそれらのサーバー内に循環させ、熱せられた還気を、それらのサーバーのバックエンドにおける第２のファンを介して追いやることが可能であり、ただし、第２の区域４１４は、それらのサーバーのバックエンドと接していて、その還気を回収することが可能である。
【００３３】
[0036]第２の区域４１４内の還気は、ＣＲＡＨユニット４１６に供給されることが可能であり、または、代替として、外部環境４１８に追い出されることが可能である。管理コントローラー４１０は、サーバー設備の温度監視システムに結合されることが可能であり、温度監視システムによって行われた測定および比較に基づく命令を与えるようにスイッチと通信することが可能である。温度監視システムは、第２の区域４１４内の還気の温度を測定し、外部環境４１８における空気温度と比較することが可能である。外部環境３１２における空気が、第２の区域４１４内の還気より高い温度である場合、管理コントローラーは、第２の区域４１４からの還気をＣＲＡＨユニット４１６に供給する命令をスイッチに与えることが可能である。代替として、外部環境４１８における空気が、第２の区域４１４内の還気より温度が低い場合、管理コントローラーは、その還気を外部環境４１８に追い出す命令をスイッチに与えることが可能である。外部環境４１８から空気を取り込むさらなる命令が、スイッチに与えられることが可能である。次に、外部環境４１８からの空気が、ＣＲＡＨユニット４１６に供給され得る。
【００３４】
[0037]次に、ＣＲＡＨユニット４１６が、冷却コイルのうちの１つまたは複数、および冷水を使用して、冷却空気を調整することが可能である。その空気が十分に調整されると、その冷却空気は、第１の区域４１２に供給され得る。
【００３５】
[0038]第３の区域４２０は、サーバー設備の残りの領域を表し、事前定義された温度に保たれることが可能であり、ただし、その温度は、第１の区域４１２の温度より高く、第２の区域４１４の温度より低いことが可能である。第３の区域４２０は、管理コントローラー４１０によって制御される火災抑制システム、セキュリティシステム、および／または監視システムを含み得る。
【００３６】
[0039]図１から図４における実施例は、構成要素、構成要素のタスク、および構成要素の配置を含む特定のシステムを用いて説明されてきた。実施形態は、これらの例示的な構成によるシステムに限定されない。サーバー設備における冷却システムの管理は、本明細書で説明される原理を使用して類似した様態で、構成要素、構成要素のタスク、および構成要素の配置を含む他のタイプのシステムを使用する構成において実施されてもよい。
【００３７】
[0040]図５および関連する説明は、実施形態が実施され得る適切なコンピューティング環境の簡単な一般的な説明を与えることを意図している。図５を参照すると、コンピューティングデバイス５００などの、実施形態による応用例に関する例示的なコンピューティング動作環境のブロック図が示されている。基本的な構成において、コンピューティングデバイス５００は、いくつかの例においてタッチ検出能力および／またはジェスチャ検出能力を含むことが可能である、ワイヤレス通信能力を有する任意のポータブルコンピューティングデバイスであることが可能であり、少なくとも１つの処理装置５０２と、システムメモリ５０４とを含むことが可能である。また、コンピューティングデバイス５００は、プログラムを実行する際に協働する複数の処理装置を含むことも可能である。コンピューティングデバイスの厳密な構成およびタイプに依存して、システムメモリ５０４は、揮発性（ＲＡＭなどの）であることも、不揮発性（ＲＯＭ、フラッシュメモリなどの）であることも、この２つの何らかの組合せであることも可能である。システムメモリ５０４は、ワシントン州レッドモンド市のマイクロソフト社からのＷＩＮＤＯＷＳ（登録商標）オペレーティングシステム、ＷＩＮＤＯＷＳ  ＭＯＢＩＬＥ（登録商標）オペレーティングシステム、またはＷＩＮＤＯＷＳ  ＰＨＯＮＥ（登録商標）オペレーティングシステムなどの、プラットフォームの動作を制御するのに適したオペレーティングシステム５０５を通常、含む。また、システムメモリ５０４は、管理コントローラーアプリケーション５２２などの１つまたは複数のソフトウェアアプリケーション、およびスイッチモジュール５２４を含むことも可能である。
【００３８】
[0041]温度監視システムに結合された管理コントローラーアプリケーション５２２は、命令を与えるようにスイッチモジュール５２４と通信することが可能であり、それらの命令は、温度監視システムによって行われる測定および比較に依存する。温度監視システムは、サーバー設備における区域ごとの空気温度、および外部環境の空気温度を測定することが可能であり、第２の区域の空気温度を外部環境の空気温度と比較することが可能である。外部環境における空気が、第２の区域内の還気よりも高い温度であるという判定に応答して、管理コントローラーアプリケーション５２２が、その還気をＣＲＡＨユニットに供給する命令をスイッチモジュール５２４に与えることが可能である。代替として、外部環境における空気が、第２の区域内の還気より低い温度であるという判定に応答して、管理コントローラーアプリケーション５２２は、その還気を外部環境に追い出す命令をスイッチモジュール５２４に与えることが可能である。管理制御アプリケーション５２２は、外部環境から空気を取り込み、外部環境からのその空気をＣＲＡＨユニットに供給する命令をスイッチモジュール５２４にさらに与えることが可能である。管理コントローラーアプリケーション５２２およびスイッチモジュール５２４は、別々のアプリケーションであっても、ホストされるサービスの統合されたモジュールであってもよい。この基本的な構成が、破線５０８内の構成要素によって図５に示される。
【００３９】
[0042]コンピューティングデバイス５００は、さらなるフィーチャまたは機能を有することが可能である。例えば、コンピューティングデバイス５００は、例えば、磁気ディスク、光ディスク、またはテープなどのさらなるデータストレージデバイス（リムーバブルおよび／または非リムーバブルの）を含むことも可能である。そのようなさらなるストレージが、リムーバブルストレージ５０９および非リムーバブルストレージ５１０によって図５に示される。コンピューター可読記憶媒体は、コンピューター可読命令、データ構造、プログラムモジュール、または他のデータなどの情報を記憶するために任意の方法または技術で実装された揮発性媒体、不揮発性媒体、リムーバブルの媒体、および非リムーバブルの媒体を含み得る。システムメモリ５０４、リムーバブルストレージ５０９、および非リムーバブルストレージ５１０はすべて、コンピューター可読記憶媒体の例である。コンピューター可読記憶媒体には、ＲＡＭ、ＲＯＭ、ＥＥＰＲＯＭ、フラッシュメモリもしくは他のメモリ技術、ＣＤ−ＲＯＭ、デジタルバーサタイルディスク（ＤＶＤ）もしくは他の光ストレージ、磁気カセット、磁気テープ、磁気ディスクストレージもしくは他の磁気ストレージデバイス、または所望される情報を記憶するのに使用されることが可能であり、コンピューティングデバイス５００によってアクセスされ得る他の任意の媒体が含まれるが、以上には限定されない。任意のそのようなコンピューター可読記憶媒体が、コンピューティングデバイス５００の一部であり得る。また、コンピューティングデバイス５００は、キーボード、マウス、ペン、音声入力デバイス、タッチ入力デバイス、ジェスチャを検出するための光キャプチャデバイス、および同等の入力デバイスなどの入力デバイス５１２を有することも可能である。また、ディスプレイ、スピーカー、プリンター、および他のタイプの出力デバイスなどの出力デバイス５１４が含められることも可能である。これらのデバイスは、当技術分野でよく知られており、本明細書で詳細に説明される必要はない。
【００４０】
[0043]いくつかの実施形態は、通信モジュールと、メモリデバイスと、プロセッサとを含むコンピューティングデバイスにおいて実施されることが可能であり、ただし、そのプロセッサは、そのメモリデバイスの中に記憶された命令に関連して、前述した方法、または同等の方法を実行する。他の実施形態は、前述した方法、または類似した方法を実行するための命令が記憶されているコンピューター可読メモリデバイスとして実施され得る。ハードウェアの様々な実装形態としてのメモリデバイスの例が、前段で説明されている。
【００４１】
[0044]また、コンピューティングデバイス５００は、デバイスが、分散コンピューティング環境における有線ネットワークもしくはワイヤレスネットワーク、衛星リンク、セルラーリンク、短距離ネットワーク、および同等の機構などを介して、他のデバイス５１８と通信することを可能にする通信接続５１６を包含することも可能である。他のデバイス５１８には、通信アプリケーションを実行するコンピューターデバイス、ウェブサーバー、および同等のデバイスが含まれ得る。通信接続５１６は、通信媒体の一例である。通信媒体は、内部にコンピューター可読命令、データ構造、プログラムモジュール、または他のデータを含み得る。例として、限定としてではなく、通信媒体には、有線ネットワークもしくは直接配線接続などの有線媒体、ならびに音響媒体、ＲＦ媒体、赤外線媒体、および他のワイヤレス媒体などのワイヤレス媒体が含まれる。
【００４２】
[0045]また、例示的な実施形態は、方法も含む。これらの方法は、本明細書で説明される構造を含む、任意の数の様態で実施され得る。１つのそのような様態が、本明細書で説明されるタイプのデバイスの機械動作によるものである。
【００４３】
[0046]別のオプションの様態は、いくつかを人間の操作者が実行することと連携して実行されるべきそれらの方法の個々の動作のうちの１つまたは複数に関する。これらの人間の操作者は、互いに同じ場所に配置されていなくてもよいが、各々が、そのプログラムの一部分を実行するマシンとだけ一緒に配置され得る。
【００４４】
[0047]図６は、実施形態によるサーバー設備における冷却システムを管理する方法のプロセス６００に関する論理フローチャートを示す。プロセス６００は、サーバー上、または他のシステム上で実施され得る。
【００４５】
[0048]プロセス６００は、動作６１０から始まり、冷却空気が第１の区域に供給されることが可能である。第１の区域は、複数のサーバーを収容する１つまたは複数のラック、および第１の区域と第２の区域の間の境界におけるその１つまたは複数のラック内の各サーバーの間の断熱材によって第２の区域から区切られることが可能である。第１の区域は、それらのサーバーのフロントエンドと接していて、それらのサーバーが、第１の区域に供給された冷却空気を取り込み、その冷却空気をそれらのサーバー内で循環させることができるようにすることが可能である。その冷却空気がそれらのサーバー内で循環させられるにつれ、それらのサーバーは、その空気を熱して、還気を第２の区域に追い込むことが可能である。動作６２０で、その熱せられた還気が、第２の区域内で回収されることが可能である。
【００４６】
[0049]動作６３０で、外部環境における空気が、第２の区域内の還気よりも高い温度であるという判定に応答して、第２の区域内の還気がＣＲＡＨユニットに供給され得る。オプションの動作６４０で、外部環境における空気が、第２の区域内の還気より低い温度であるという判定に応答して、その還気は、代替として、外部環境に追い出されること、または暖められる必要があり得る別の空間に向け直されることも可能である。その場合、外部環境における空気が取り込まれて、ＣＲＡＨユニットに供給されることが可能である。
【００４７】
[0050]動作６５０で、ＣＲＡＨユニットが、冷却コイルのうちの１つまたは複数、および冷水を使用して、冷却空気を調整することが可能である。動作６６０で、十分に調整された後、ＣＲＡＨユニットが、その冷却空気を第１の区域に供給することが可能である。
【００４８】
[0051]プロセス６００に含まれる動作は、例示を目的としている。サーバー設備における冷却システムの管理は、本明細書で説明される原理を使用して、より少ないステップ、またはさらなるステップを有する類似したプロセスによって実施され得るとともに、動作の異なる順序で実施されることも可能である。
【００４９】
[0052]以上の詳細、例、およびデータは、実施形態の構成の製造および使用の完全な説明を与える。主題が、構造上の特徴、および／または方法上の動作に特有の言い回しで説明されてきたものの、添付の特許請求の範囲において規定される主題は、前段で説明されている特定の特徴または動作に必ずしも限定されないことを理解されたい。むしろ、前段で説明されている特定の特徴および動作は、特許請求の範囲および実施形態を実施する例示的な形態として開示される。
【図４】
2016538524.tif 000003
【図５】
2016538524.tif 000004
【図６】
2016538524.tif 000005
【図１】
2016538524.tif 000006
【図２】
2016538524.tif 000007
【図３】
2016538524.tif 000008
【国際調査報告】
2016538524.tif 000009
2016538524.tif 000010
2016538524.tif 000011
2016538524.tif 000012